(57)【要約】【課題】外観上の体裁を良好に維持しつつ、収納物品を１つずつ的確に取り出すのに適した物品収納具を提供すること。【解決手段】本発明の物品収納具Ａ１は、所定方向Ｘに延び、かつ弾性変形可能な筒状体１と、この筒状体１の内周面に設けられ、多数の毛体２１を有するブラシ部２と、を備える。多数の毛体２１は、それぞれの先端が所定方向Ｘの一方側に向くように傾斜している。【選択図】図３
2013043655.tif 000002
【特許請求の範囲】
【請求項１】
所定方向に延び、かつ弾性変形可能な筒状体と、この筒状体の内周面の少なくとも一部に設けられ、複数の突出部を有する突出部群と、を備え、
上記複数の突出部は、それぞれの先端が上記所定方向の一方側に向くように傾斜していることを特徴とする、物品収納具。
【請求項２】
上記突出部群は、上記筒状体の内周面のうち、上記所定方向における一定範囲の周方向全域に設けられている、請求項１に記載の物品収納具。
【請求項３】
上記突出部群は、上記所定方向の他方側の端部寄りに設けられている、請求項１または２に記載の物品収納具。
【請求項４】
上記突出部群は、上記筒状体の内周面の全域に設けられている、請求項２に記載の物品収納具。
【請求項５】
上記筒状体は、ゴムまたは軟質樹脂からなる、請求項１ないし４のいずれかに記載の物品収納具。
【請求項６】
上記筒状体は、上記所定方向に垂直な断面が一様な円形である、請求項１ないし５のいずれかに記載の物品収納具。
【請求項７】
上記複数の突出部は、自然状態における上記筒状体の内径寸法の１／２０〜１／４の長さを有する、請求項６に記載の物品収納具。
【請求項８】
上記筒状体の内面には、基材が取り付けられており、
上記突出部は、上記基材に植設された毛体からなる、請求項１ないし７のいずれかに記載の物品収納具。
【発明の詳細な説明】
【技術分野】
【０００１】
本発明は、たとえばポリ袋などの物品を収納するのに用いられる物品収納具に関し、特に携帯して使用するのに適した物品収納具に関する。
【背景技術】
【０００２】
従来、ポリ袋などの物品を収納するための収納具として、筒状の収納具本体（筒状体）を備えて構成されたものが知られている（たとえば、特許文献１を参照）。特許文献１に開示された筒状の収納具は、上端部において開口する投入口（２）と、この投入口につながる指送り出し口（３）とを有する。指送り出し口（３）は、収納具の長手方向に沿ったスリット状とされている。収納具の下端部は、やや先細り状とされている。また、特許文献１の収納具は、背面側に吸盤止め孔（６）を有し、壁面等に固定して使用することが意図されたものである。上記構成の収納具において、収納物品たるポリ袋を取り出す際には、指送り出し口に差し込んだ指によってポリ袋を押し下げると、下端部から順番にポリ袋を取り出すことができる。
【０００３】
しかしながら、上記従来の収納具においては、たとえば１つのポリ袋を取り出すべく指でポリ袋を押し下げた際に、押し下げ力が強いと、誤って２つ以上のポリ袋が取り出されてしまうことが起こり得た。また、指送り出し口（３）を通じて内部のポリ袋等が見えるので、外観上の体裁が悪いものとなっていた。このような外観体裁の悪化は、収納具を携帯して使用する場合を考慮すると、より不都合である。
【先行技術文献】
【特許文献】
【０００４】
【特許文献１】実用新案登録第３０８０４２１号公報
【発明の概要】
【発明が解決しようとする課題】
【０００５】
本発明は、このような事情のもとで考え出されたものであって、外観上の体裁を良好に維持しつつ、収納物品を１つずつ的確に取り出すのに適した物品収納具を提供することを課題とする。
【課題を解決するための手段】
【０００６】
上記の課題を解決するため、本発明では、次の技術的手段を講じている。
【０００７】
本発明によって提供される物品収納具は、所定方向に延び、かつ弾性変形可能な筒状体と、この筒状体の内周面の少なくとも一部に設けられ、複数の突出部を有する突出部群と、を備え、上記複数の突出部は、それぞれの先端が上記所定方向の一方側に向くように傾斜していることを特徴としている。
【０００８】
上記構成の物品収納具によれば、筒状体は、所定方向に延びるとともに弾性変形可能とされているため、この筒状体の内部に複数の物品を所定方向に並べて保持することができる。また、筒状体の内周面には、複数の突出部を有する突出部群が設けられており、複数の突出部は、それぞれの先端が所定方向の一方側に向くように傾斜している。このため、筒状体の内部に物品を収納した状態において、筒状体の外側から複数の突出部が設けられた領域に対して内向きに押圧すると、収納された物品は、突出部によって所定方向の一方側へ徐々に押し出される。したがって、本発明の物品収納具によれば、筒状体を押圧するといった簡単な動作によって、収納物品を１つずつ的確に取り出すことができる。
【０００９】
また、上記構成の物品収納具においては、収納物品を取り出すための構成が筒状体の内周面に施されており、筒状体の外周面の外側から内部の収納物品が見えない状態となっている。かかる構成の物品収納具は、外観上の体裁が良好であり、携帯用として用いるのに適している。
【００１０】
好ましい実施の形態においては、上記突出部群は、上記筒状体の内周面のうち、上記所定方向における一定範囲の周方向全域に設けられている。
【００１１】
好ましい実施の形態においては、上記突出部群は、上記所定方向の他方側の端部寄りに設けられている。
【００１２】
好ましい実施の形態においては、上記突出部群は、上記筒状体の内周面の全域に設けられている。
【００１３】
好ましい実施の形態においては、上記筒状体は、ゴムまたは軟質樹脂からなる。
【００１４】
好ましい実施の形態においては、上記複数の突出部は、上記筒状体よりも硬質な材料からなる。
【００１５】
好ましい実施の形態においては、上記筒状体は、上記所定方向に垂直な断面が一様な円形である。
【００１６】
好ましい実施の形態においては、上記複数の突出部は、自然状態における上記筒状体の内径寸法の１／２０〜１／４の長さを有する。
【００１７】
好ましい実施の形態においては、上記筒状体の内面には、基材が取り付けられており、上記突出部は、上記基材に植設された毛体からなる。
【００１８】
本発明のその他の特徴および利点は、添付図面を参照して以下に行う詳細な説明によって、より明らかとなろう。
【図面の簡単な説明】
【００１９】
【図１】本発明の第１実施形態に係る物品収納具の斜視図である。
【図２】図１のＩＩ−ＩＩ線に沿う要部断面図である。
【図３】筒状体が弾性変形させられた状態を示す要部断面図である。
【図４】図１に示す物品収納具の使用状態の一例を示す要部断面図である。
【図５】図１に示す物品収納具の使用状態の一例を示す要部断面図である。
【図６】本発明の第２実施形態に係る物品収納具を示す図２と同様の断面図である。
【図７】図６に示す物品収納具の使用状態の一例を示す要部断面図である。
【図８】図６に示す物品収納具の使用状態の一例を示す要部断面図である。
【発明を実施するための形態】
【００２０】
以下、本発明の好ましい実施の形態について、図面を参照して具体的に説明する。
【００２１】
図１〜図５は、本発明の第１実施形態に係る物品収納具を示している。図１〜図３に表れているように、本実施形態の物品収納具Ａ１は、筒状体１と、筒状体１の内周面に設けられたブラシ部２とを備えて構成されている。本実施形態の物品収納具Ａ１は、筒状体１の内部に、たとえばポリ袋などの変形可能な物品を収納するためのものである。
【００２２】
筒状体１は、一定方向に延びる円筒状であり、長手方向Ｘの一端および他端に開口１ａ，１ｂを有している。筒状体１は、たとえば長手方向Ｘに垂直な断面が一様な円形とされており、弾性変形可能な材料によって構成されている。そのような材料としては、たとえばゴムまたは軟質樹脂などを挙げることができる。かかる構成により、筒状体１は、外周面から内向きの押圧力が作用すると、図３に表れているように、弾性変形させられる。筒状体１のサイズ（内径寸法や長手方向の寸法など）は、この筒状体１の内部に収納する物品に応じて適宜設定することができる。ポリ袋を収納する場合、筒状体１の内径寸法は、たとえば３０〜４０ｍｍ程度とされ、筒状体１の長手方向の寸法は、たとえば１５０〜２００ｍｍ程度とされ、筒状体１の厚さは、たとえば１〜３ｍｍ程度とされる。
【００２３】
図１に表れているように、本実施形態では、筒状体１の長手方向Ｘの一端部付近には、係止片１１が一体的に設けられている。係止片１１には、フックなどを引っ掛けるための係止孔１１ａが形成されている。
【００２４】
ブラシ部２は、多数の毛体２１を有して構成されており、筒状体１の内周面の全域に設けられている。より詳細には、多数の毛体２１は、それぞれが、薄い樹脂製シートからなる基材２２に植設されており、この基材２２が筒状体１の内周面に取り付けられている。また、多数の毛体２１は、それぞれの基端が基材２２に対して傾斜する姿勢で植設されている。これにより、多数の毛体２１は、それぞれの先端が筒状体１の長手方向Ｘの一方側に向くように傾斜している。毛体２１は、たとえば筒状体１よりも硬質な材料からなり、たとえば合成樹脂製の硬質繊維によって構成される。このような毛体２１の材質の一例としては、たとえばナイロンを挙げることができる。
【００２５】
毛体２１の寸法の一例を挙げると、直径が０.１〜０.５ｍｍ程度とされ、長さ（根元から先端までの長さ）が３〜１５ｍｍ程度とされる。また、毛体２１の長さは、好ましくは、筒状体１の内径寸法の１／２０〜１／４とされる。なお、毛体２１の密度については、たとえば、筒状体１の内周面１ｃｍ2当たり４６００本程度設けられる。このような構成の毛体２１は、本発明でいう突出部の一例に相当する。また、ブラシ部２は、本発明でいう突出部群の一例に相当する。
【００２６】
次に、上記構成の物品収納具Ａ１の作用について説明する。
【００２７】
本実施形態の物品収納具Ａ１は、たとえば、ペットの糞処理用としてのポリ袋を携帯する場合に用いられる。ここで、ポリ袋は、一般に、買い物の際に商品を入れるために支給されたものが再利用される。図４に表れているように、筒状体１の内部には、複数のポリ袋Ｐが長手方向Ｘに並んで収納されている。これらポリ袋Ｐは、それぞれが適度に丸められた状態にて、開口１ｂを通じて筒状体１の内部に挿入される。各ポリ袋Ｐは、外面部分が毛体２１に接触した状態で筒状体１に保持される。
【００２８】
物品収納具Ａ１からポリ袋Ｐを取り出す際には、図５に表れているように、筒状体１の適所を絞るように、当該筒状体１の外側から内向きに押圧する。このとき、筒状体１は弾性変形させられ、当該筒状体１によってポリ袋Ｐも押圧されて若干変形する。ここで、筒状体１の内周面に設けられた多数の毛体２１は、それぞれが長手方向Ｘの一方側に傾斜している。このため、ポリ袋Ｐは、毛体２１によって長手方向Ｘの一方側へ徐々に押し出される。その一方、ポリ袋Ｐの長手方向Ｘにおける他方側への移動は阻止される。
【００２９】
そして、筒状体１の押圧動作を繰り返すことによって、筒状体１における長手方向の一端側の開口１ａから、ポリ袋Ｐが取り出される。このようなことから理解されるように、本実施形態の物品収納具Ａ１によれば、筒状体１を押圧するといった簡単な動作によって、収納物品たるポリ袋Ｐを１つずつ的確に取り出すことができる。
【００３０】
また、物品収納具Ａ１においては、収納物品（ポリ袋Ｐ）を取り出すための構成が筒状体１の内周面に施されており、筒状体１の外周面の外側から内部のポリ袋Ｐが見えない状態となっている。したがって、物品収納具Ａ１は、外観上の体裁が良好であり、携帯用として用いるのに適している。
【００３１】
筒状体１は、ゴムまたは軟質樹脂によって構成されている。このため、筒状体１を押圧することによって当該筒状体１を容易に変形させることができる。
【００３２】
本実施形態では、多数の毛体２１を有するブラシ部２は、筒状体１の内周面の全域に設けられている。このため、筒状体１のいずれの部位を押圧しても、収納物品たるポリ袋Ｐを押し出すことができる。
【００３３】
毛体２１は、筒状体１よりも硬質な材料によって構成されている。このため、毛体２１は、充分な弾性を有しており、収納物品（ポリ袋Ｐ）を押し上げる際に適度な弾性力を発揮することができる。
【００３４】
なお、物品収納具Ａ１（筒状体１）からポリ袋Ｐを取り出した後、開口１ｂを通じて他のポリ袋Ｐを挿入することによって、ポリ袋Ｐを補充することができる。
【００３５】
図６〜図８は、本発明の第２実施形態に係る物品収納具を示している。なお、これらの図においては、上記実施形態と同一または類似の要素には、上記実施形態と同一の符号を付しており、適宜説明を省略する。
【００３６】
図６および図７に表れているように、本実施形態の物品収納具Ａ２は、筒状体１と、筒状体１の内周面に設けられた突起群２’とを備えて構成されている。本実施形態の物品収納具Ａ２は、たとえば軟式用のテニスボールを収納するために用いられる。
【００３７】
筒状体１は、上記実施形態と同様に、一定方向に延びる円筒状とされており、たとえばゴムまたは軟質樹脂などの弾性変形可能な材料によって構成されている。筒状体１のサイズの一例を挙げると、軟式用のテニスボールを内部に収納する場合、筒状体１の内径寸法は、テニスボールの外径よりも若干小とされ、たとえば６３〜６５ｍｍ程度とされる。筒状体１の長手方向の寸法は、たとえば２６〜３５ｃｍ程度とされ、筒状体１の厚さは、たとえば３〜５ｍｍ程度とされる。
【００３８】
突起群２’は、複数の突起２１’を有して構成されている。本実施形態では、突起群２’は、筒状体１の長手方向Ｘにおける他端寄りの一定範囲に設けられている。突起群２’は、当該一定範囲において、筒状体１の周方向の全域に設けられている。
【００３９】
複数の突起２１’は、薄いシート材２２’に一体形成されており、このシート材２２’が筒状体１の内周面に取り付けられている。複数の突起２１’は、それぞれの先端が筒状体１の長手方向Ｘの一方側に向くように傾斜している。突起２１’は、たとえば筒状体１よりも硬質な材料からなり、たとえばゴムまたは合成樹脂によって構成される。
【００４０】
突起２１’は、やや先細りの丸棒状とされており、先端は丸みを帯びている。突起２１’の寸法の一例を挙げると、直径が０.８〜１.５ｍｍ程度とされ、長さ（基端から先端までの長さ）が３〜１５ｍｍ程度とされる。このような構成の突起２１’は、本発明でいう突出部の一例に相当する。また、突起群２’は、本発明でいう突出部群の一例に相当する。
【００４１】
図７に表れているように、本実施形態の物品収納具Ａ２において、筒状体１の内部には、複数の軟式用のテニスボールＢが長手方向Ｘに並んで収納される。これらテニスボールＢは、それぞれが適度に弾性変形させられた状態にて、開口１ｂを通じて筒状体１の内部に挿入される。筒状体１に収納されるテニスボールＢのうち、突起群２’が設けられた領域（長手方向ｘの他端寄り）にあるものについては、当該テニスボールＢの外面部分が突起２１’に接触した状態で筒状体１に保持される。また、筒状体１に収納されるテニスボールＢのうち、突起群２’が設けられていない領域にあるものについては、当該テニスボールＢの外面部分が筒状体１の内周面に接触した状態で当該筒状体１に保持される。
【００４２】
物品収納具Ａ２からテニスボールＢを取り出す際には、図８に表れているように、筒状体１の長手方向Ｘにおける他端寄りの部位を絞るように、当該筒状体１の外側から内向きに押圧する。このとき、筒状体１は弾性変形させられ、当該筒状体１によってテニスボールＢも押圧されて若干変形する。ここで、筒状体１の内周面に設けられた複数の突起２１’は、それぞれが長手方向Ｘの一方側に傾斜している。このため、テニスボールＢは、突起２１’によって長手方向Ｘの一方側へ徐々に押し出される。その一方、テニスボールＢの長手方向Ｘにおける他方側への移動は阻止される。
【００４３】
そして、筒状体１の押圧動作を繰り返すことによって、筒状体１における長手方向の一端側の開口１ａから、テニスボールＢが取り出される。このようなことから理解されるように、本実施形態の物品収納具Ａ２によれば、筒状体１を押圧するといった簡単な動作によって、収納物品たるテニスボールＢを１つずつ的確に取り出すことができる。
【００４４】
また、物品収納具Ａ２においては、収納物品（テニスボールＢ）を取り出すための構成が筒状体１の内周面に施されており、筒状体１の外周面の外側から内部のテニスボールＢが見えない状態となっている。したがって、物品収納具Ａ２は、外観上の体裁が良好であり、携帯用として用いるのに適している。
【００４５】
以上、本発明の具体的な実施形態を説明したが、本発明はこれに限定されるものではなく、発明の思想から逸脱しない範囲内で種々な変更が可能である。本発明に係る物品収納具の各部の具体的な形状や材質なども、上記実施形態に限定されるものではない。
【００４６】
上記実施形態において、筒状体については、断面円形状である場合を例に挙げて説明したが、筒状体の形状はこれに限定されない。筒状体は、たとえば断面矩形状であってもよい。
【００４７】
上記実施形態では、毛体２１や突起２１’（突出部）が筒状体よりも硬質な材料からなる場合を例に挙げて説明したが、これに限定されない。たとえば、突出部として、筒状体と同等の硬さの材料あるいは筒状体よりも軟質な材料を用いてもよい。たとえば、筒状体よりも軟質な材料によって突出部を構成する場合、硬質な材料からなる場合よりも突出部の密度を大きくすることによって、上記実施形態において述べたのと同様に、筒状体の内部にある物品を徐々に押し出すことができる。
【００４８】
筒状体の内部に設けられる突出部の態様としては、上記実施形態において例示した毛体あるいは突起に限定されるものではなく、たとえば板状片などの他の形状のものを採用することができる。
【符号の説明】
【００４９】
Ａ１，Ａ２    物品収納具
Ｘ        長手方向（所定方向）
１        筒状体
１ａ，１ｂ    開口
１１      係止片
１１ａ    係止孔
２        ブラシ部（突出部群）
２１      毛体（突出部）
２２      基材
２’      突起群（突出部群）
２１’    突起（突出部）
２２’    シート材
【図１】
2013043655.tif 000003
【図２】
2013043655.tif 000004
【図３】
2013043655.tif 000005
【図４】
2013043655.tif 000006
【図５】
2013043655.tif 000007
【図６】
2013043655.tif 000008
【図７】
2013043655.tif 000009
【図８】
2013043655.tif 000010